(57)【要約】【課題】  切断対象と刃の角度を固定するため、ハサミの開閉に連動して平行に動いて切断対象を固定する押さえ機構を有するハサミを提供する。【解決手段】  本発明は刃の動きに連動する一対の押さえ部を有するハサミであって、切断する紙を上下の押さえ具ではさんでからハサミの刃が噛みあうことによって意図した箇所の切断を容易にするハサミである。既存のハサミと同様の操作によって「紙の固定」と「切断」という２つの動作を行うことができる。押さえ部は切断する対象を平行に挟み押さえるので切断対象の厚みによらず安定した状態で保持できる。押さえ部で押さえてから切ることで切断する箇所を確認してから切ることができ、また切る途中でハサミがずれることを防ぐ。【選択図】図１
2017170088.tif 000002
【特許請求の範囲】
【請求項１】
一対の刃に連結された一対の持ち手と連動して可動する、一対の押さえ具を有する平行リンク機構を用いた切断対象を固定する固定機構を有しており、
前記平行リンク機構は、
前記一対の持ち手の動きに連動して、前記一対の押さえ具が接近離間するように設けられているハサミ。
【請求項２】
前記平行リンク機構は、
平行な一対の押さえ具と、
両端に回転軸をもつ直線状のリンク部材と、
２つの直線部分とそれをつなぐ連結部分を有する弾性体により構成されており、
一対の押さえ具は、
一方の押さえ具が一方の刃に固定されており、
リンク部材の一方の回転軸は一方の刃に対して回転可能に連結されており、他方の回転軸は他方の押さえ具に回転可能に連結されており、
弾性体は、
一方の直線部分が他方の押さえ具に回転可能に連結されており、他方の直線部分は他方の刃と連動して移動する持ち手に連結されており、連結部分はハサミの要に回転支持されている
る、請求項１のハサミ。
【請求項３】
刃の回転を平行リンク機構に伝えるリンク部分に、弾性体を用いた請求項１のハサミ。
【請求項４】
刃線に沿った方向において、リンク部材と押さえ具の間にスペースが設けられた請求項２のハサミ。
【発明の詳細な説明】
【技術分野】
【０００１】  本発明は、切断する箇所を固定し狙い通りに真っ直ぐ切ることができるハサミに関するものである。
【背景技術】
【０００２】  ハサミでものを切断する際、意図した箇所を正確に切断するためには切断する対象を安定させ、刃と切断対象の角度を一定にする必要がある。これらの作業を行いやすくする工夫として、刃部に紙を乗せるための板状のガイドを設けたものはあったが（特許文献１：特開２００１−１３７５７０）、切断する対象の固定は出来ず正確な切断のためには不十分である。【０００３】  また切断片が飛散するのを防ぐ目的で、刃と別に上下から紙を挟み押さえる構造をもつものもあるが（特許文献２：特開２００４−１５４２０６、特許文献３：特開２０１４−６１３７０）、切断対象とハサミの固定が確実でなかったり操作が複雑になったり切断箇所の視認性が低下したりするという問題点があった。
【先行技術文献】
【特許文献】
【０００４】
【特許文献１】特開２００１−１３７５７０
【特許文献２】特開２００４−１５４２０６
【特許文献３】特開２０１４−６１３７０
【発明の概要】
【発明が解決しようとする課題】
【０００５】  本発明が解決しようとする問題点は、ハサミでものを切断する際に、切断しようとする対象の変形や、手ぶれによってハサミの刃の角度が切断するもの（例えば紙等）に対して一定とならず、意図した直線を切ることができない場合があるという点である。
【課題を解決するための手段】
【０００６】  本発明のハサミは、切断対象と刃の角度を固定するため、ハサミの開閉に連動して平行に動いて切断対象を固定する押さえ機構を有することを最も主要な特徴とする。
【発明の効果】
【０００７】  本発明のハサミは上下の押さえ部によりハサミと紙の角度を固定する機構を有する。押さえ部は平行に可動するため、面と面で切断対象を押さえることができる。これによりハサミと紙が切断の途中でずれてしまうことを防ぐ。その結果ハサミによる正確な切断を容易にする。また切りたい箇所と押さえ部のエッジ（つまり刃）を一致させてからハサミを動かせばよいので失敗することが大幅に少なくなる。また、薄くて切りにくいような紙でも押さえてから切るので切りやすい。
【図面の簡単な説明】
【０００８】
【図１】本発明の実施の形態を示した斜視図
【図２】本発明の実施の形態を示した背面図
【図３】切断途中における押さえ部による切断対象の固定の様子を示した図
【図４】押さえ部と刃部の両方が閉じられた状態を示す図
【図５】切断した紙がリンクと押さえ部Ｂの間からおくられることを示す図
【図６】切断の途中における見下ろし図
【図７】刃部と押さえ部の位置関係を示す断面図
【発明を実施するための形態】
【０００９】  本発明は、ハサミに、押さえ具Ａ５と押さえ具Ｂ６とを設けたことに特徴を有している。押さえ具Ｂ６は、ハサミにおける一方の刃Ｂ２の表面に設けられていて、その上面と刃Ｂ２の裏面とが交わるエッジが刃線となっている（図７参照）。
【００１０】  一方、押さえ具Ａ５は、ハサミにおける一対の刃Ａ１，Ｂ２の動き（紙などを切る動き）に合わせて、押さえ具Ｂ６に対して移動するように設けられている。
具体的には、押さえ具Ａ５は、２つの可動部を持ち、それぞれリンク部材７と弾性体８に接続される。
リンク部材７は両端にひとつずつの回転軸を持ち、押さえ具Ａ５と押さえ具Ｂ６を連結する部材である。リンク部材７の一方の端は押さえ具Ａ５に回転支持され、他端は刃Ｂ２に回転支持される。
弾性体８は、弾性を持ち、二つの直線状部分と連結部分からなる部材であり、押さえ具Ａ５と刃Ａ１と接続されている持ち手Ａ３を接続する。弾性体の直線部分Ａ８ａの端は支持部Ａ９で押さえ具Ａ５に回転支持され、弾性体の連結部分８ｃは要（ねじ）４で回転支持される。
この弾性体８を、リンク部材７と弾性体の直線部分Ａ８ａが略平行となるように設けることで（図１参照）、押さえ具Ａ５、押さえ具Ｂ６、リンク部材７、弾性体の直線部分Ａ８ａによって平行リンク機構が構成される。
【００１１】  また、弾性体の直線部分Ｂ８ｂは支持部Ｂ１０で持ち手３に固定されており、持ち手Ａ３の動きに伴う刃Ａ１の回転を平行リンク機構に伝える。したがって、押さえ具Ａ５は刃Ａ１の回転に連動し、押さえ具Ｂ６に対して平行移動する。これにより、はさみで切断する箇所を押さえ具Ａ５と押さえ具Ｂ６で上下からはさむように動作するので、押さえ具Ａ５と押さえ具Ｂ６によって紙を固定した状態で、一対の刃Ａ１，Ｂ２によって紙を切断できる。
【００１０】  本発明のハサミによって紙を切断する際には、まず、一対の刃Ａ１，Ｂ２を開いて（図１〜図３参照）、上下の押さえ具Ａ５，Ｂ６が離れた状態にして両者の間に紙を配置する。
その状態から、持ち手Ａ３を動かすことで刃Ａ１が回転するが、押さえ具Ａ５もそれに連動して移動する。
一対の刃Ａ１，Ｂ２が閉じる過程で、弾性体８が刃Ａ１の回転を平行リンク機構に伝え、押さえ具Ａ５は押さえ具Ｂ６と平行を保ち接近する。
そして、一対の刃Ａ１，Ｂ２が紙を切断する前に押さえ具Ａ５は押さえ具Ｂ６と面と面で接触し、紙を押さえつけ、紙が動かないように固定する（図５）。
その後さらに刃Ａ１が回転することで、紙は切断される。このとき、平行リンク機構の一辺に弾性体８を用いているため、弾性体８があっても刃Ａ１の回転を阻害せず、一対の刃Ａ１，Ｂ２を閉じることが可能である。
同時に弾性体８の弾性力により、押さえ具Ａ５が紙を押さえつける力が強まる。これにより既存のハサミと同じ操作でありながら、紙などを直線に切断する作業を容易にする。
【００１１】  図５に示すように、ハサミの刃線に沿う方向に対して、リンク部材７の支点と押さえ具Ｂ６の間にスペースを設けることで、切断された紙は押さえ具Ｂ６とリンク部材７の間から下へおくられ、リンク機構が切断の邪魔とならないようになっている。したがってサイズの大きな紙などであっても連続して切り進むことができる。
また、紙の切断されていない部分はリンク部材７よりも奥に進行することができないので、必ず押さえ具Ａ５，Ｂ６によって固定してから紙を切断することができる。
【符号の説明】
【００１２】Ａ１  刃
Ｂ２  刃
Ａ３  持ち手
Ａ４  要（ねじ）
５  押さえ具
Ｂ６  押さえ具
７  リンク部材
８  弾性体
Ａ８ａ  弾性体の直線部分
Ｂ８ｂ  弾性体の直線部分
８ｃ  弾性体の連結部分
Ａ９  支持部
Ｂ１０  支持部
【図１】
2017170088.tif 000003
【図２】
2017170088.tif 000004
【図３】
2017170088.tif 000005
【図４】
2017170088.tif 000006
【図５】
2017170088.tif 000007
【図６】
2017170088.tif 000008
【図７】
2017170088.tif 000009